(57)【要約】【課題】半田接続が不要な小形モータの実装構造の提供。【解決手段】小形モータの実装構造は、蓋ケース２をケース本体１に被せて固定することによりケース本体１の印刷配線板４上に振動モータ１０を蓋ケース２で挟み込んで成る。振動モータは、端壁１４ｅに底面を貫通するスリット１４ｆを有する箱形状ホルダー１４と、このホルダーのうちスリット側の内端面に衝合する導線性端子受け板１６ａを一体的に持ち、底面に沿って延び出て印刷配線板４の導電性パターン４ａに圧接するべき一対の導電性板バネ片１６と、ホルダー内に収納されてモータ端子１２ｅが受け板に圧接するべき振動モータ本体１２を備え、受け板を底面側からスリットを介して差し込んだ際に受け板をホルダーに抜け止め保持するための抜け止め手段を備える。抜け止め手段は、丸形受け台部１４ｅａと半月状切り欠き１６ａｂとの雌雄嵌め合いである。【選択図】　　　図２
2004088918.tif 000002
【特許請求の範囲】
【請求項１】
蓋体を筐体に被せて固定することにより前記筐体内の印刷配線板上に小形モータを前記蓋体で挟み込んで成る小形モータの実装構造であって、
前記小形モータは、端部側に底面を貫通するスリットを有する箱形状ホルダーと、前記箱形状ホルダーのうち前記スリット側の内端面に衝合する導線性端子受け部を一体的に持ち、前記底面に沿って延び出て前記印刷配線板の導電性パターンに圧接するべき一対の導電性板バネ片と、前記箱形状ホルダー内に収納されてモータ端子が前記導電性端子受け部に圧接するべき小形モータ本体とを備え、前記導線性端子受け部を前記底面側から前記スリットを介して前記箱形状ホルダー内へ差し込んだ際に当該導線性端子受け部を前記箱形状ホルダーに抜け止め保持するための抜け止め手段を備えて成ることを特徴とする小形モータの実装構造。
【請求項２】
請求項１において、前記抜け止め手段は、前記箱形状ホルダーと前記導電性端子受け部とに形成されていることを特徴とする小形モータの実装構造。
【請求項３】
請求項２において、前記抜け止め手段は、前記箱形状ホルダーの両内側面から突出して前記スリットをおいて前記内端面に臨む一対の弾力性突片と、前記箱形状ホルダーの前記内端面の央部と前記各導線性端子受け部の側縁とに形成された雌雄係合対とを有することを特徴とする小形モータの実装構造。
【請求項４】
請求項３において、前記雌雄係合対は、前記央部に形成されて前記小形モータ本体の端部を受ける受け台部と、前記各導線性端子受け部に形成されて前記受け台部に係合する切り欠きであることを特徴とする小形モータの実装構造。
【請求項５】
請求項４において、前記受け台部は丸形であり、前記切り欠きは半月形であることを特徴とする小形モータの実装構造。
【発明の詳細な説明】
【０００１】
【発明の属する技術分野】
本発明は、携帯電話機等における振動モータ等の小形モータに関し、特にその小形モータの実装構造に関する。
【０００２】
【従来の技術】
通常、携帯電話機における振動モータの実装構造は、ケース内の印刷配線板の導電性パターンに振動モータのモータ端子を半田付けで導電接続している。
【０００３】
【発明が解決しようとする課題】
しかしながら、環境保全等の見地から、鉛レス化や半田レス化が要請されている。
【０００４】
そこで、本発明の課題は、半田接続が不要な小形モータの実装構造を提供することにある。
【０００５】
【解決を解決するための手段】
上記課題を解決するため、先ず、本発明は、蓋体を筐体に被せて固定することにより筐体内の印刷配線板上に小形モータを蓋体で挟み込んで成る小形モータの実装構造である。この挟み込み固定方式において、小形モータは、端部側に底面を貫通するスリットを有する箱形状ホルダーと、箱形状ホルダーのうちスリット側の内端面に衝合する導線性端子受け部を一体的に持ち、底面に沿って延び出て印刷配線板の導電性パターンに圧接するべき一対の導電性板バネ片と、箱形状ホルダー内に収納されてモータ端子が導電性端子受け部に圧接するべき小形モータ本体とを備える。そして、本発明は、導線性端子受け部を底面側からスリットを介して箱形状ホルダー内へ差し込んだ際に当該導線性端子受け部を箱形状ホルダーに抜け止め保持するための抜け止め手段を備えて成る。
【０００６】
斯かる構成において、小形モータを印刷配線板上に実装する場合は、導電性板バネ片の導線性端子受け部を箱形状ホルダーの底面側からスリットを介した箱形状ホルダー内へ挿入してから、箱形状ホルダー内へ小形モータ本体を収納し、導電性板バネ片が印刷配線板の導電性パターンに重なるように、小形モータを印刷配線板上に設置し、その小形モータを蓋体で挟み込んで蓋体を固定する。挟み込み固定方式で印刷配線板の導電性パターンにモータ端子が導通接続すると同時に固定されるため、半田接続を不要とすることができる。また、抜け止め手段を有しているため、挟み込み固定前において箱形状ホルダーからの導電性板バネ片の脱落を防止できる。
【０００７】
抜け止め手段は別部品で構成しても良いが、箱形状ホルダーと導電性端子受け部とに形成することが望ましい。部品点数の削減と抜け止め作業の容易化を図ることができるからである。
【０００８】
即ち、この抜け止め手段は、箱形状ホルダーの両内側面から突出してスリットをおいて内端面に臨む一対の弾力性突片と、箱形状ホルダーの内端面の央部と各導線性端子受け部の側縁とに形成された雌雄係合対を有する構成とすることができる。斯かる場合、弾力性突片をスリット側から退避させて弾性変形し、これを保持すると、導線性端子受け部を箱形ホルダーの底面側からスリットを介して箱形ホルダー内へ挿入できるので、その保持を解除すると、弾力性突片がスリット側へ弾性復帰して、箱形状ホルダーの央部と導線性端子受け部の側縁とに形成された雌雄係合対を相係合せしめるので、導線性端子受け部がスリットに抜け止めされる。弾力性突片及び雌雄係合対の一方は箱形状ホルダーと一体的に形成でき、また雌雄係合対の他方は導線性端子受け部に形成できるため、部品点数の増加を招かずに済み、低コスト化を図ることができる。
【０００９】
この雌雄係合対としては、央部に形成されて小形モータ本体の端部を受ける受け台部と、各導線性端子受け部に形成されて受け台部に係合する切り欠きとすることができる。例えば、この受け台部は丸形であり、切り欠きは半月形とすれば良い。
【００１０】
【発明の実施の形態】
次に、本発明の実施形態を添付図面に基づいて説明する。図１は本発明の実施例に係る振動モータの実装構造を示す斜視図、図２（ａ）は同振動モータの偏心錘を除いて裏面側から見た状態を示す斜視図、図２（ｂ）は同振動モータの偏心錘を除いて表面側から見た状態を示す斜視図、図３（ａ）は同振動モータに用いる箱形状ホルダーに導電性板バネ片を組み付けた組立体を示す平面図、図３（ｂ）は同組立体の正面図、図３（ｃ）は同組立体の底面図である。
【００１１】
本例の振動モータの実装構造は、図１に示す如く、ヒンジ３でケース本体（筐体）１と蓋ケース（蓋体）２とが開閉可能である携帯電話機に採用したものである。ケース本体１内には各種電子部品（図示せず）を搭載した印刷配線板４が固定されている。蓋ケース２の裏側には振動モータ１０を収納する位置決め枠６が一体的に形成されている。
【００１２】
この振動モータ１０は、図２及び図３に示す如く、振動モータ本体１２と、これを収めるべきエラストマ等の柔軟弾性樹脂の箱形状ホルダー１４と、一対の導電性板バネ片１６，１６とから成る。
【００１３】
振動モータ本体１２は、モータケース１２ａから突出したモータシャフト１２ｂに固定された偏心錘１２ｃを有し、モータケース１２ａの端部にはベアリング突出部１２ｄを具備している。ベアリング突出部１２ｄの両側には一対のモータ端子１２ｅ，１２ｅが突出している。
【００１４】
箱形状ホルダー１４は、図６及び図７に示す如く、底上げ空間部Ａを有する底壁１４ａと、この底壁１４ａから起立してベアリング受け部Ｂを有する端壁１４ｂと、底面１４ａから起立した側壁１４ｃ，１４ｄと、底面１４ａから起立した端壁１４ｅとから成る。一方の端壁１４ｅは他方の端壁１４よりも高く形成されており、側壁１４ｃ，１４ｄの一方の端壁１４ｅ寄り部分は高く形成されている。箱形状ホルダー１４は端壁１４ｅ側に底壁１４ａを貫通するスリット１４ｆを有する。端壁１４ｅの内面央部には振動モータ本体１２のベアリング突出部１２ｄを受ける丸形受け台部１４ｅａが形成されている。また、両側壁１４ｃ，１４ｄの端壁１４ｅ寄りには、スリット１４ｆをおいて端壁１４ｅに臨む一対の弾力性突片１４ｃａ，１４ｄａが形成されている。
【００１５】
一対の導電性板バネ片１６，１６は、箱形状ホルダー１４の底面からスリット１４ｆに差し込んで端壁１４ｅの内面に衝合する導線性端子受け板１６ａを一体的に有する。導線性端子受け板１６ａは、その中央にモータ端子１２ｅが当接するための切り起し片１６ａａと、その縁部に丸形受け台部１４ｅａの略半分に嵌る半月状切り欠き１６ａｂを有する。
【００１６】
この振動モータ本体１２を印刷配線板４上に実装する場合は、まず、一対の導電性板バネ片１６の導線性端子受け部１６ａを箱形状ホルダー１４の底面側からスリット１４ｆを介して箱形状ホルダー１４内へ挿入し、図５に示す如く、導線性端子受け部１６ａを少し傾けて弾力性突片１４ｃａ，１４ｄａが屈曲変形する状態で丸形受け台部１４ｅａの頂面に一旦載せてから、丸形受け台部１４ｅａに半月状切り欠き１６ａｂを嵌め合わせる。この嵌め合わせ状態では、同時に弾力性突片１４ｃａが弾性復帰しているため、導線性端子受け部１６ａが抜け落ちることはない。次に、箱形状ホルダー１４内へ振動モータ本体１２を収めると、モータ端子１２ｅが切り起し片１６ａａに圧接すると共に、ベアリング突出部１２ｄが丸形受け台部１４ｅａに当接する。このため、底上げ空間Ａに延び出た導電性板バネ片１６がモータ端子１２ｅに電気的に接続し、振動モータ本体１２が箱形状ホルダー１４に組み付けられた振動モータ１０を得ることができる。斯かる状態で、振動モータ１０を位置決め枠６内に収め、蓋ケース２をケース本体１に合わせてネジ止め等で固定すると、一対の導電性板バネ片１６が印刷配線板４の導電性パターン４ａに圧接し、モータ実装が完了する。
【００１７】
このような挟み込み固定方式で印刷配線板４の導電性パターン４ａにモータ端子１２ｅが導通接続すると同時に固定されるため、半田接続を不要とすることができる。また、丸形受け台部１４ｅａと半月状切り欠き１６ａｂとの雌雄嵌め合いにより導電性板バネ片１６の脱落を防止できる。
【００１８】
導電性板バネ片１６の抜け止め手段としては、丸形受け台部１４ｅａと半月状切り欠き１６ａｂとの雌雄嵌め合いの外、箱形状ホルダー１４内への振動モータ１２の収納による一対の弾力性突片１４ｃａ，１４ｄａの不動化が寄与している。これらの抜け止め手段の要素は箱形状ホルダー１４と導電性板バネ片１６とに形成されているため、部品点数の増加を招かずに済み、低コスト化を図ることができる。
【００１９】
なお、本発明は、上記実施例では振動モータの実装構造について説明したが、偏心錘のない小形モータの実装構造に適用できることは云うまでもない。
【００２０】
【発明の効果】
以上説明したように、本発明においては、挟み込み固定方式で印刷配線板の導電性パターンにモータ端子が導通接続すると同時に固定されるため、半田接続を不要とすることができる。また、抜け止め手段を有しているため、挟み込み固定前において箱形状ホルダーからの導電性板バネ片の脱落を防止できる。
【００２１】
抜け止め手段としては、箱形状ホルダーの両内側面から突出してスリットをおいて内端面に臨む一対の弾力性突片と、箱形状ホルダーの内端面の央部と各導線性端子受け部の側縁とに形成された雌雄係合対を有する構成とすることができる。部品点数の増加を招かずに済み、低コスト化を図ることができる。
【図面の簡単な説明】
【図１】本発明の実施例に係る振動モータの実装構造を示す斜視図である。
【図２】（ａ）は同振動モータの偏心錘を除いて裏面側から見た状態を示す斜視図、（ｂ）は同振動モータの偏心錘を除いて表面側から見た状態を示す斜視図である。
【図３】（ａ）は同振動モータに用いる箱形状ホルダーに導電性板バネ片を組み付けた組立体を示す平面図、（ｂ）は同組立体の正面図、（ｃ）は同組立体の底面図である。
【図４】同振動モータに用いる箱形状ホルダーに導電性板バネ片を組み付ける状態を示す斜視図である。
【図５】同振動モータに用いる箱形状ホルダーに導電性板バネ片を組み付ける状態を示す部分平面図である。
【図６】同箱形状ホルダーを示す斜視図である。
【図７】（ａ）は同箱形状ホルダーを示す平面図、（ｂ）は同箱形状ホルダーの正面図、（ｃ）は同箱形状ホルダーの底面図、（ｄ）は図７（ｂ）中のＤ−Ｄ線に沿って切断して見た状態を示す断面図である。
【符号の説明】
１…ケース本体（筐体）
２…蓋ケース（蓋体）
３…ヒンジ
４…印刷配線板
４ａ…導電性パターン
６…位置決め枠
１０…振動モータ
１２…振動モータ本体
１２ａ…モータケース
１２ｂ…モータシャフト
１２ｃ…偏心錘
１２ｄ…ベアリング突出部
１２ｅ…モータ端子
１４…箱形状ホルダー
１４ａ…底壁
１４ｂ，１４ｅ…端壁
１４ｃ…側壁
１４ｆ…スリット
１４ｅａ…丸形受け台部
１４ｃａ…弾力性突片
１６…導電性板バネ片
１６ａ…導線性端子受け板
１６ａａ…切り起し片
１６ａｂ…半月状切り欠き
Ａ…底上げ空間部
Ｂ…ベアリング受け部
【図１】
2004088918.tif 000003
【図２】
2004088918.tif 000004
【図３】
2004088918.tif 000005
【図４】
2004088918.tif 000006
【図５】
2004088918.tif 000007
【図６】
2004088918.tif 000008
【図７】
2004088918.tif 000009